(57)【要約】【課題】停電中の消費電力を削減する。【解決手段】交流電力の供給の有無をＡＣ電源検知部３３ｂで検知し、バッテリ３９からの電力を電源分岐部３２で分岐し、分岐した電力を複数の機能ユニットに夫々供給する。バッテリ３９から個々の機能ユニットに対する電力供給の要否に関する設定情報を操作パネル３４に入力し、操作パネル３４により設定された設定情報を不揮発性メモリ３２ｂに格納する。不揮発性メモリから読み出した設定情報に基づいて、電源分岐部３２から機能ユニット毎に供給される電力を制御部３２ａでＯＮ／ＯＦＦ制御する。制御部３２ａは、交流電力の供給がないことがＡＣ電源検知部３３ｂにより検知された場合に、不揮発性メモリ３２ｂから読み出した電力供給要とされた機能ユニットのみにバッテリ３９からの電力を供給するように電源分岐部３２を制御する。【選択図】図３
2014176193.tif 000002
【特許請求の範囲】
【請求項１】
交流電力の供給の有無を検知する検知手段と、
バッテリを有する補助電源からの電力を分岐し、前記分岐した電力を複数の機能ユニットに夫々供給する分岐手段と、
前記補助電源から個々の前記機能ユニットに対する電力供給の要否に関する設定情報を入力する操作パネルと、
前記操作パネルにより設定された設定情報を格納する不揮発性メモリと、
前記不揮発性メモリから読み出した設定情報に基づいて、前記分岐手段から前記機能ユニット毎に供給される電力をＯＮ／ＯＦＦ制御する制御手段と、を備え、
前記制御手段は、前記検知手段により交流電力の供給がないことが検知された場合に、前記不揮発性メモリから読み出した電力供給要とされた機能ユニットのみに前記補助電源からの電力を供給するように前記分岐手段を制御することを特徴とする画像形成装置。
【請求項２】
前記制御手段は、停電時に実行中のジョブ又は待機中のジョブを完遂させた後、予め電力供給要とされた機能ユニットのみに前記補助電源からの電力を供給する第１モードと、
実行中のジョブを中断させ、前記不揮発性メモリから読み出した電力供給要とされた機能ユニットのみに前記補助電源からの電力を供給する第２モードと、の一方を選択可能になるように前記操作パネルを制御することを特徴とする請求項１記載の画像形成装置。
【請求項３】
前記制御手段は、前記交流電力が停電中に、前記操作パネルから前記機能ユニットの設定情報についての変更を受け付け、変更された前記機能ユニットの設定情報に応じて前記補助電源からの電力を供給するように制御することを特徴とする請求項１記載の画像形成装置。
【請求項４】
前記制御手段は、前記交流電力が停電中に、実行中のジョブについての完遂の有無を選択可能になるように前記操作パネルを制御することを特徴とする請求項１記載の画像形成装置。
【請求項５】
前記制御手段は、前記不揮発性メモリから読み出した電力供給要とされた機能ユニットのみ常時前記補助電源からの電力を供給するように制御することを特徴とする請求項１記載の画像形成装置。
【請求項６】
前記制御手段は、停電が頻発する時間帯又は季節を示す期間情報を設定可能になるように前記操作パネルを制御し、該期間情報が示す期間において予め設定した機能ユニットに前記補助電源からの電力を供給するように制御することを特徴とする請求項５記載の画像形成装置。
【請求項７】
前記制御手段は、設定可能な特定の複数の機能ユニットのグループを前記操作パネルに複数表示し、前記操作パネルを介して選択されたグループで示す複数の機能ユニットの設定情報を前記不揮発性メモリに格納するように制御することを特徴とする請求項１乃至６の何れか一項に載の画像形成装置。
【請求項８】
前記制御手段は、実施中のジョブについての完遂の有無を示す情報、緊急性の高いジョブについての処理情報、停電し易い時間帯での機能ユニットの設定情報に対して、前記操作パネルを介して優先順位を設定可能になるように前記操作パネルを制御し、設定情報を前記不揮発性メモリに格納するように制御することを特徴とする請求項１乃至６の何れか一項記載の画像形成装置。
【発明の詳細な説明】
【技術分野】
【０００１】
本発明は、停電中の消費電力を削減するのに好適な画像形成装置に関する。
【背景技術】
【０００２】
近年、新興国では、電力需要の増加が目覚しい反面、インフラとなる送配電を行うネットワークそのものが不十分な状態である。そのため、日常的に停電が発生している地域が多々ある。
プリンタに着目すると、プリント中に停電が生じた場合、プリント動作が急停止されるため、プリントジョブは削除されてしまう。その後、ユーザは復旧を待ち、再度プリントジョブを実施しているのが現状である。
そこで、停電用の割り込み信号を不揮発性ＲＯＭに記憶し、復旧時にどのようなジョブを実行中に停電したかを検知することで、ユーザが忘れることなく所望のプリントを実施できる方法が既に知られている。
【０００３】
また、プリンタにバッテリを搭載し送配電が、停電した後も一定時間バッテリからの給電により、通常の動作が可能であり、バッテリ残量によってジョブの優先度を選択できるプリンタも既に知られている。
図１３は、従来のバッテリ搭載マルチファンクションプリンタの構成を示すブロック図である。
ＡＣ電源１０１は、電力を供給する送電線から供給される。バッテリ１０２は、停電時にＡＣ電源の代わりに直流電力を供給する。ＰＳＵ１０３は、マルチファンクションプリンタの各機能に電源を供給するユニット（Ｐｏｗｅｒ  Ｓｕｐｐｌｙ  Ｕｎｉｔ）である。スイッチ（スイッチ（ＳＷ）１０３ａは、ＡＣ電源とバッテリの電力供給源を選択できる。ＥＮＧ（エンジン）１０４は、センサやモータ等のエンジン制御機能を有し、ＰＳＵ１０３からの電源をＣＴＬ部１０７に供給する。
操作パネル（Ｐａｎｅｌ）１０５は、ユーザが操作できるディスプレイやボタンを有する。スキャナ１０６は、ＣＣＤやＣＩＳ等の光学読み取りユニットや紙搬送モータを有し、コピー動作時に必要な機能を有する。コントローラユニット（ＣＴＬ）１０７は、ＵＳＢやネットワークを始め、ＥＮＧ１０４、Ｐａｎｅｌ１０５、スキャナ１０６、ＦＡＸ１０８とのインターフェース機能を有し、マルチファンクションの全ての機能を司る。ＦＡＸユニット１０８は、電話回線やインターネット回線を通して、ＦＡＸ送信、受信を実現する。
【０００４】
図１４は、従来のバッテリ搭載マルチファンクションプリンタの動作を説明するための制御フロー図である。
マルチファンクションプリンタは、電源コンセントがＡＣプラグに挿入されており、ＡＣ電源より全ての動作の電力が供給されて動作する（Ｓ５０５）。
ＰＳＵ１０３内に搭載しているスイッチＳＷ１０３ａによって、ＡＣ電源００１の状態を検知し、停電時や電源コンセントの挿抜による、ＡＣ電源からの電力供給の有無を判断する（Ｓ５１０）。
ＡＣ電源からの電力供給が停止した場合、スイッチＳＷ１０３ａは搭載しているバッテリ１００２に電力供給源を切り替える（Ｓ５１５）。
マルチファンクションプリンタは、電源をバッテリ１０２から供給されている電力により、全ての動作を実現する。このとき、優先度をつけて、ジョブを重なって受信した際は、ユーザが設定した優先ジョブを先に実施することもできる（Ｓ５２０）。
特許文献１には、停電等でＡＣ電源が遮断された時でも安定した動作（特にＦＡＸ）を実現する目的で、停電時にバッテリ駆動に切り替える制御機構と、ＦＡＸやスキャナのジョブを同時に受け付けた際に優先順位を設定し、優先度の高い動作を実施する制御が開示されている。
【発明の概要】
【発明が解決しようとする課題】
【０００５】
しかし、全てのハードウエアにバッテリからの電力を供給した場合、バッテリ駆動時の消費電力が高くなるという問題がある。
そのため、大容量のバッテリが必要になり、バッテリのために搭載スペースが多く必要になり、マルチファンクションプリンタの価格も高価になってしまうといった問題があった。
しかし、従来、割り込み機能が付加されたジョブの忘れ防止制御では、電源復旧を待って、プリントを開始するため、ジョブ中の緊急性の高い文書を印刷できなく、また、復旧までの時間が見積もれず、効率が悪くなり、不安定なプリントシステムであるといった問題があった。
【０００６】
また、従来、バッテリ付プリンタ（ジョブの優先度を選択可能）では、バッテリ駆動中に、通常の動作が可能であるため、停電中の消費電力が大きい（必要なバッテリ容量が大きい）といった問題があった。
特許文献１は、停電等でも安定したユーザの所望の動作を実現する点が開示されている。
しかし、バッテリ駆動中、優先度の設定は可能であるが、通常の動作が可能であるため、停電中の消費電力が大きい（必要なバッテリ容量が大きくなる）といった問題は解消できていない。
【０００７】
そこで、バッテリを搭載し、ユーザが設定した機能ユニットのみをバッテリ駆動することで、停電が多発する国や地域であっても、ジョブ中の緊急性の高い文書を印刷でき、かつ、復旧を待つ必要が無く、高効率であり、バッテリ駆動中、ユーザが限定した動作のみ可能であるため、停電中の消費電力が小さいことから、停電時もユーザが所望する動作が可能なマルチファンクションプリントシステム制御が切望されている。
本発明は、上記に鑑みてなされたもので、その目的としては、ユーザが設定した所望の機能ユニットのみをバッテリ駆動することで、停電中の消費電力を削減することが可能な画像形成装置を提供することにある。
【課題を解決するための手段】
【０００８】
上記課題を解決するため、請求項１記載の発明は、交流電力の供給の有無を検知する検知手段と、バッテリを有する補助電源からの電力を分岐し、前記分岐した電力を複数の機能ユニットに夫々供給する分岐手段と、前記補助電源から個々の前記機能ユニットに対する電力供給の要否に関する設定情報を入力する操作パネルと、前記操作パネルにより設定された設定情報を格納する不揮発性メモリと、前記不揮発性メモリから読み出した設定情報に基づいて、前記分岐手段から前記機能ユニット毎に供給される電力をＯＮ／ＯＦＦ制御する制御手段と、を備え、前記制御手段は、前記検知手段により交流電力の供給がないことが検知された場合に、前記不揮発性メモリから読み出した電力供給要とされた機能ユニットのみに前記補助電源からの電力を供給するように前記分岐手段を制御することを特徴とする。
【発明の効果】
【０００９】
本発明によれば、交流電力の供給がないことが検知された場合に、不揮発性メモリから読み出した電力供給要とされた機能ユニットのみに補助電源からの電力を供給するように制御することで、ユーザが設定した所望の機能ユニットのみを補助電源で駆動することで、停電中の消費電力を削減することができる。
【図面の簡単な説明】
【００１０】
【図１】一般的な複合印刷機を構成する簡易ブロック図である。
【図２】本発明の第１実施形態に係わる画像形成装置に適用可能なバッテリ搭載マルチファンクションプリンタのブロック図である。
【図３】本発明の第１実施形態に係わるバッテリ搭載マルチファンクションプリンタの詳細ブロック図である。
【図４】本発明の第１実施形態に係わるバッテリ搭載マルチファンクションプリンタにおけるユーザにより停電時の有効機能を選択する操作パネルの表示例を示す図である。
【図５】本発明の第１実施形態に係わるユーザにより停電時の有効機能の優先順位を選択する操作パネル表示例を示す図である。
【図６】本発明の第１実施形態に係わるユーザにより停電時の有効機能の優先順位を選択後の操作パネル表示例を示す図である。
【図７】本発明の第１実施形態に係わるバッテリ搭載マルチファンクションプリンタの制御フロー図である。
【図８】本発明の第２実施形態に係わるバッテリ搭載マルチファンクションプリンタの制御フロー図である。
【図９】本発明の第３実施形態に係わるバッテリ搭載マルチファンクションプリンタの制御フロー図である。
【図１０】本発明の第４実施形態に係わるバッテリ搭載マルチファンクションプリンタのブロック図である。
【図１１】本発明の第４実施形態に係わるバッテリ搭載マルチファンクションプリンタの制御フロー図である。
【図１２】本発明の第５実施形態に係わるバッテリ搭載マルチファンクションプリンタのブロック図である。
【図１３】従来のバッテリ搭載マルチファンクションプリンタのブロック図である。
【図１４】従来のバッテリ搭載マルチファンクションプリンタの制御フロー図である。
【発明を実施するための形態】
【００１１】
本発明の実施形態について説明する。本発明は、バッテリを搭載したマルチファンクションプリンタにおける停電時の動作に際して、ユーザにより最低限対応できる機能ユニットを選択させ、カスタマイズできることを特徴としている。
以下、本発明の実施形態について図面を参照して説明する。
図１は、一般的な複合印刷機１を構成する簡易ブロック図である。
コントローラ１０は、以下の制御機能及びＩＦ制御機能等の機能ユニットを有する。ＡＳＩＣ／ＦＰＧＡ１１は、複合印刷機１の全体を制御する。ＯＰＵ＿ＩＦ部１２は、操作パネルとのＩＦ制御を行う。ＳＣＮ＿ＩＦ部１３は、スキャナ部とのＩＦ制御を行う。ＥＮＧ＿ＩＦ１４は、エンジン部とのＩＦ制御を行う。
ＬＡＮ＿ＩＦ１５は、ネットワーク部とのＩＦ制御を行う。ＵＳＢ（Ｄ）１６は、ＵＳＢ部（Ｂ−ｔｙｐｅ）とのＩＦ制御を行う。ＵＳＢ（Ｈ）１７は、ＵＳＢ部（Ａ−ｔｙｐｅ）とのＩＦ制御を行う。ＦＡＸ＿ＩＦ１８は、ＦＡＸ部とのＩＦ制御を行う。
コントローラ１０は、上記各ＩＦ制御を行う機能ユニット以外にも、印刷に必要な画像処理等の機能ユニット（図示しない）を有する。
【００１２】
また、コントローラ１０と接続された、ＥＮＧ１９は、センサやモータ等のエンジン制御機能ユニットを有する。ＦＡＸ２０は、ＦＡＸ制御に必要な機能ユニットを有する。ＰＳＵ２１は、ＡＣ−ＤＣ変換を行い、電源を供給する機能ユニットを有する。スキャナ２２は、コピーに必要な機能ユニットを有する。操作パネル２３は、ディスプレイ表示が可能なＬＣＤ２３ａ、ボタン２３ｂを有する。
印刷された用紙（記録媒体）は、排紙トレイ２４〜２６に排出され、印刷用の用紙は給紙トレイ２７、２８から給紙される。
【００１３】
＜第１実施形態＞
図２は、第１実施形態に係わる画像形成装置に適用可能なバッテリ搭載マルチファンクションプリンタ３１の構成を示すブロック図である。
電源分岐部（ＣＴＬ）３２は、電源ユニット（ＰＳＵ）３３からの供給電源が（ＥＮＧ  １０４を介さず）供給され、操作パネル（Ｐａｎｅｌ）３４と双方向のデータのやり取りに基づいて、各機能ユニットに電力供給するかどうかを決定する。電源分岐部（ＣＴＬ）３２は、スキャナユニット３５、ＦＡＸユニット３６、ＥＮＧ３７に電源を供給する。ＡＣ電源３８は直流電源に変換された後にスイッチ（ＳＷ）３３ａの一端子に入力される一方、バッテリ３９から供給される直流電源がスイッチ（ＳＷ）３３ａの他端子に入力される。
ＡＣ電源検知部３３ｂでは、ＡＣ電源３８が直流電源に変換された後の電圧を監視することで、交流電力の供給の有無を検知する。
【００１４】
図３は、第１実施形態のバッテリ搭載マルチファンクションプリンタの詳細ブロック図である。
電源分岐部（ＣＴＬ）３２は、内部に電源を制御する制御部（Ｓｏｃ／ＡＳＩＣ）３２ａを有し、制御部（Ｓｏｃ／ＡＳＩＣ）３２ａは操作パネル（Ｐａｎｅｌ）３４と双方向にデータのやり取りを実行する。
ユーザが停電時に動作させたい機能ユニットについての設定を操作パネル（Ｐａｎｅｌ）３４を介して制御部（Ｓｏｃ／ＡＳＩＣ）３２ａへ通知する。
電源ユニット（ＰＳＵ）３３に設けられたＡＣ電源検知部（電力ユニット（ＰＳＵ）３３ｂがＡＣ電源３８の供給を監視する。
ＡＣ電源検知部３３ｂからの検知情報を電源分岐部（ＣＴＬ）３２に送信し、制御部（Ｓｏｃ／ＡＳＩＣ）３２ａは、設定された電源のＯＮ／ＯＦＦを制御する。
【００１５】
操作パネル３４は、バッテリ３９から個々の機能ユニットに対する電力供給の要否に関する設定情報を入力する。
操作パネル（Ｐａｎｅｌ）３４を介して設定された設定情報は電源分岐部（ＣＴＬ）３２内に搭載している不揮発性メモリ（ＦＲＯＭ）３２ｂに格納する。
制御部３２ａは、各機能ユニットの電源生成回路への電源供給の有無を設定する。
例えば、図３に示すスイッチ（ＳＷ）３２ｃ１は、スキャナ電源３２ｃ３を生成する入力電源／信号の切替機能ユニットを有し、制御部（Ｓｏｃ／ＡＳＩＣ）３２ａはその切替制御を行う。
【００１６】
制御部（Ｓｏｃ／ＡＳＩＣ）３２ａでは、スイッチ（ＳＷ）３２ｃ１によって切り替えた電源／信号に基づいて、電源生成デバイス（例えばレギュレータやＤＣ／ＤＣコンバータ、ＬＤＯ）（ＲＥＧ）３２ｃ２がスキャナ電源３２ｃ３を生成するか否かを制御する。
制御部３２ａは、不揮発性メモリ３２ｂから読み出した設定情報に基づいて、電源分岐部３２から機能ユニット毎に供給される電力をＯＮ／ＯＦＦ制御する。
【００１７】
生成されたスキャナ電源３２ｃ３は、スキャナユニット３５に供給され、スキャナ機能ユニットが有効になる。
図３には、スキャナ電源３２ｃ３と同様に構成されているＦＡＸ電源３２ｄ３、電源生成デバイス（ＲＥＧ）３２ｄ２、スイッチ（ＳＷ）３２ｄ１を有し、同様の制御方法により制御される。また、エンジン（ＥＮＧ）電源やＵＳＢ電源等、各機能ユニットの電源に関する制御も同様である。
【００１８】
図４は、本発明の第１実施形態に係わるバッテリ搭載マルチファンクションプリンタにおけるユーザにより停電時に有効な機能ユニットを選択するための操作パネル３４の表示例である。
停電時に使用したい機能ユニットはユーザによって異なるため、ユーザは予めどの機能ユニットを有効にするか（電源を活電にしておくか）について、操作パネル３４を操作して設定しておく必要がある。
図４に示すように、操作パネル３４上にユーザが操作可能な主機能リストを表示させており、ユーザは表示されている主機能リストの中から、有効にしたい機能ユニットを選択することができる。なお、主機能リストでは、複数の機能ユニットを選択可能であり、図４には例えば２つの機能が選択された様子を示す。
操作パネル３４上で選択可能な機能ユニットは、図４に示す主機能リスト以外に、マルチファンクションプリンタでは、例えば以下の機能ユニットを想定できる。
機能ユニットとしては、ＰＣ（ＵＳＢ）プリント機能、ＰＣ（ＬＡＮ）プリント機能、ＰＣ（ＷＬＡＮ）プリント機能、コピー（ＦＢ）機能、コピー（ＤＦ）機能、ＦＡＸ−送信機能、ＦＡＸ−受信機能、Ｓｃａｎ２ＵＳＢ機能、Ｓｃａｎ２ＰＣ機能などがある。
【００１９】
図５は、ユーザにより停電時に有効な機能ユニットの優先順位を選択するための操作パネルの表示例である。
図５は、図４に示す主機能リストに対して設定した後に、設定した機能ユニットとＲｅｓｅｔのみ操作パネル３４上に表示される。
ユーザは、操作パネル３４上に対して、優先度の高い順に機能ユニット名の欄に接触して選択していく。
ユーザの選択に応じて、操作パネル３４は図６に示すように「□」の中に数字を表示させる。なお、数字の値が低いほど優先度が高いことを示す。選択が間違った場合には、設定し直すために取り消したいときは、Ｒｅｓｅｔを選択すれば、操作パネル３４は図５に示す状態に戻すことができる。
上述したようにして、優先順位を設定する意味について、図４を参照して説明する。
図４に示すように、操作パネル３４が、例えば、ＰＣ（ＵＳＢ）プリント機能とコピー（ＤＦ）機能とを同時に受け付けた場合に、どちらを優先させるかを決定することで、ユーザとっての重要度が高い機能ユニットに対して稼働させる可能性が高くなる。要は、有限なバッテリの電力を有効活用するためである。
【００２０】
図６は、ユーザにより停電時に有効な機能ユニットの優先順位を選択した後の操作パネル３４の表示例である。
【００２１】
図７は、本発明の第１実施形態に係わるバッテリ搭載マルチファンクションプリンタの制御フロー図である。
まず、マルチファンクションプリンタは、電源コンセントにＡＣプラグを挿入し、ＡＣ電源３８が直流電力に変換せれ、この直流電力が全ての機能ユニットを含むハードウエアの動作を行うための電力が供給されて動作する（Ｓ５５）。
電源ユニット（ＰＳＵ）３３内に搭載しているＡＣ電源検知部３３ｂによって、ＡＣ電源３８の状態を検知し、停電時や電源コンセントの挿抜による、ＡＣ電源３８からの電力供給有無を判断する。（Ｓ６０）
ＡＣ電源検知部３３ｂによる検知の結果、ＡＣ電源３８からの電力供給が絶たれた場合、スイッチ（ＳＷ）３３ａは搭載しているバッテリ３９に電力供給源を切り替える（Ｓ６５）。
停電時に起動させたい機能ユニットは、ユーザによって異なる。例えば、オフィス等でコピー機能を主に使用しているユーザの場合、ＦＡＸ機能はあまり使用しない。その場合、コピー機能ユニットに必要な電源（スキャナ、ＥＮＧ）のみを活電（有効）させ、ＦＡＸ機能ユニットや電源分岐部（ＣＴＬ）３２内部の他機能ユニット（例えばＵＳＢやネットワーク等）を非活電（無効）に設定する。これにより、バッテリ駆動時の消費電力を低減することができる。このため、バッテリ３９の必要容量も削減でき、安価で少スペースなバッテリ３９を搭載したマルチファンクションプリンタが実現することができる。
【００２２】
また、例えば、商業用途でＦＡＸ受信を主に使用しているユーザに場合、コピー機能ユニットはあまり使用しないことが多い。その場合、スキャナ関連の電源を非活電に設定することができる。
このように、停電時にＡＣ電源が絶たれ、バッテリ給電による動作を余儀なくされた場合に、稼働したい機能ユニットはユーザの用途に依存する。
この設定を予め操作パネル３４から設定しておき（Ｓ７０）、ＣＴＬボード上の不揮発性メモリ（ＦＲＯＭ）（詳しくは、Ｆｌａｓｈ  ＲＯＭやＥＥＰＲＯＭ等の不揮発メモリ）３２ｂに格納しておく（Ｓ７５）。
この操作によって、ＡＣ電源３８が絶たれた（停電等）場合に、マルチファンクションプリンタのどの機能ユニット部分を有効にて活電（電力供給）し、その他の機能ユニット部分を無効にして非活電（電力を供給しない）にするかを選択できる。
停電中には、マルチファンクションプリンタは、バッテリ３９からの直流電力が供給され、ユーザによって不揮発性メモリ３２ｂに設定された機能ユニットのみ、動作を実行する（Ｓ８０）。
【００２３】
このように、制御部３２ａは、交流電力の供給がないことがＡＣ電源検知部３３ｂにより検知された場合に、不揮発性メモリ３２ｂから読み出した電力供給要とされた機能ユニットのみにバッテリ３９からの電力を供給するように電源分岐部３２を制御する。これにより、停電中の消費電力を削減することができる。
これにより、容量が少量のバッテリをプリンタに搭載することができ、少容量、少スペースで安価なバッテリを選択することができる。
また、操作パネル３４を介してユーザによって設定された特定の機能ユニットのみ停電時に動作可能にするため、バッテリ駆動中の消費電力が低減することができる。
【００２４】
＜第２実施形態＞
第２実施形態は、第１実施形態において採用した図２に示すブロック図、図３に示す詳細ブロック図と同様のハードウエア構成に適用するものである。
図８は、本発明の第２実施形態に係わるバッテリ搭載マルチファンクションプリンタの制御フロー図である。
なお、本実施形態では、図８に示すステップＳ５５〜Ｓ８０までの処理は、第１実施形態における図７に示す制御フロー図と同様であるので、その説明を省略する。
ＡＣ電源３８が停電した場合に、実行中又は待機中のジョブがメモリ上にあったときに、この実行中のジョブを完遂した後に、ステップＳ７０に進む。ステップＳ７０では、不揮発性メモリ３２ｂに設定した停電時に稼働したい機能ユニットを有効にするモード、又は、この実行中のジョブを途中で中断させて、ステップＳ７０で設定した機能ユニットを有効にするモード、をユーザが選択できるようにしておく（Ｓ１３０）。
【００２５】
例えば、選択方法としては、停電時にジョブを停止させ、操作パネル３４からユーザが選択できるように構成しておく。これは、実行中のジョブが重要度の高いものであった場合、ジョブを完遂してから、ステップＳ７０で設定した機能ユニットのみを有効にする方が、ユーザにとって利用価値が高いためである。
この設定を加えることで、実行中のジョブが重要度／セキュリティ度が高いものであったり、実行中のジョブが重要度の低いものであったり、印刷枚数が大巾に多いものであったりした際に、ジョブを完遂するか否かを選択できる。これにより、バッテリ３９の有効活用が可能となる。
その後、停電中、マルチファンクションプリンタは、バッテリ３９から直流電源が供給され、ユーザによって設定された限定した機能ユニットのみ、動作を実現する（Ｓ８０）。
このように、制御部３２ａは、停電時に実行中のジョブ又は待機中のジョブを完遂させた後、予め電力供給要とされた機能ユニットのみにバッテリ３９からの電力を供給する第１モードと、実行中のジョブを中断させ、不揮発性メモリ３２ｂから読み出した電力供給要とされた機能ユニットのみに補助電源からの電力を供給する第２モードと、の一方を選択可能になるように操作パネル３４を制御する。これにより、ユーザが設定した特定の機能ユニットのみ動作可能し、且つ実行中のジョブの完遂の有無を選択できるため、バッテリの有効利用が可能となる。
【００２６】
＜第３実施形態＞
第３実施形態は、第１実施形態において採用した図２に示すブロック図、図３に示す詳細ブロック図と同様のハードウエア構成に適用するものである。
図９は、本発明の第３実施形態に係わるバッテリ搭載マルチファンクションプリンタの制御フローチャート図である。
なお、本実施形態では、図９に示すステップＳ５５〜Ｓ１３０までの処理は、第２実施形態における図８に示す制御フロー図と同様であるので、その説明を省略する。
バッテリ３９により駆動中に、ステップＳ７０において、不揮発性メモリ（ＦＲＯＭ）３２ｂ上に設定した機能ユニット以外に緊急性の高いジョブが必要になってしまった場合、ユーザは操作パネル３４から緊急度の高いジョブの種類を設定し、実施することができ  ジョブの種類とは、例えばパーソナルコンピュータＰＣからの印刷ジョブ等がある。一般に普及しているノートＰＣは、バッテリを搭載しているため、停電時でも動作可能であることが多い。このため、ノートＰＣから緊急性の高い印刷ジョブが実行されることも想定できる。
【００２７】
なお、その他、ＦＡＸ送信機能、ＦＡＸ受信機能等の緊急度の高いジョブはユーザによって異なる。
このようなジョブの種類を操作パネル３４上から設定し、その機能ユニット部分の電源をＯＮし、機能ユニットを有効にするように設定が可能な場合、基本的に不要な電源はＯＦＦに設定した上で、緊急度の高いジョブを実現することが可能である（Ｓ１９０）。
このように、制御部３２ａは、交流電力が停電中に、操作パネル３４から機能ユニットの設定情報についての変更を受け付け、変更された機能ユニットの設定情報に応じてバッテリ３９からの電力を供給するように制御する。これにより、ユーザが設定した特定の機能ユニットのみ動作可能とし、緊急性の高いジョブのみスポット的に対応可能であるため、バッテリの有効利用が可能となる。
【００２８】
＜第４実施形態＞
図１０は、本発明の第４実施形態に係わるバッテリ搭載マルチファンクションプリンタ４１のブロック図である。
本実施形態では、図２に示す第１実施形態のブロック構成に、スイッチＳＷ制御信号４２を加えた構成とすることを特徴としている。
本実施形態は、電源事情が乏しい（停電が頻繁に生じる）地域向けの地域仕様の機能ユニットを動作対象としている。
図１１は、本実施形態に係わるバッテリ搭載マルチファンクションプリンタの制御フロー図である。
【００２９】
まず、マルチファンクションプリンタは、電源コンセントにＡＣプラグに挿入し、ＡＣ電源３８が直流電力に変換され、この直流電力が全ての機能ユニットを含むハードウエアの動作を行うための電力が供給され、動作する（Ｓ２０５）。
電源事情が乏しい地域（停電が頻繁に生じる地域）では、常時安定して動作して欲しい機能ユニットが必要になるというニーズが多い。また、このような所望する機能ユニットはユーザによって異なる。
そこで、ユーザによる操作において、安定して動作して欲しい機能ユニットを操作パネル３４から予め設定しておき（Ｓ２１０）、電源分岐部３２上の不揮発性メモリ３２ｂに格納しておく（Ｓ２１５）。
ここで、ユーザが安定して動作して欲しい動作を、例えば、”ＰＣ（ＵＳＢ）からの印刷動作”と仮定する。
選択した機能ユニットを実施する場合（Ｓ２２０、ＹＥＳ）、メモリ上に設定したジョブ（ＰＣからの印刷）を実行する。次いで、電源分岐部３２内の制御部３２ａ（図３）は、スイッチＳＷ制御信号４２を電源ユニット３３上のスイッチ３３ａに出力し、ＡＣ電源３８からバッテリ３９に供給電源が変更される。
印刷中に必要な機能ユニットとして、例えば、以下の数種の機能ユニットへの供給電源をバッテリ３９から給電して実行する（Ｓ２２５）。
【００３０】
このような機能ユニットとしては、例えば、パーソナルコンピュータＰＣからのデータ入力ＩＦであるＵＳＢ−Ｄｅｖｉｃｅ、データを処理するための制御部３２ａ、印刷データを格納／展開するためのＤＲＡＭ、データを出力するための信号ライン（プリンタの機種によってはデータラインにＦＰＧＡやバッファが搭載されている）、書き込み制御ドライバ（インクジェット：インク吐出ヘッドドライバ、レーザ：レーザ露光タイミング制御用ドライバ）、モータ制御（紙搬送、インクジェットではインク吐出ヘッドの主走査動作、レーザではタンデム回転等）が想定できる。
動作完了後、制御部３２ａはスイッチＳＷ制御信号４２（ステップＳ２２５で出力した際の論理と逆論理の信号）を出力し、バッテリ３９からＡＣ電源３８に供給電源を切り替え、その後、バッテリ３９を充電状態に変更する（Ｓ２３０）。
このように、ユーザが安定して動作して欲しい機能ユニット（本実施形態では、パーソナルコンピュータＰＣからの印刷動作）のみ、バッテリ駆動で安定して常時動作することが可能となる。これにより、ユーザによって設定された特定の機能ユニットのみバッテリ動作し、常時安定して動作することが可能となる。
【００３１】
＜第５実施形態＞
図１２は、本発明の第５実施形態に係わるバッテリ搭載マルチファンクションプリンタのブロック図である。
図１２に示すブロック構成は、図１０に示す第４実施形態のブロック構成にリアルタイムクロック（ＲＴＣ）３２ｅを加えた構成とする。
電源事情が乏しい（停電が頻繁に生じる）地域では、停電時に実現したい機能ユニットというより、常時安定して動作して欲しい機能ユニットが必要になるというニーズが多い。
【００３２】
また、夕方等の時間帯によっては電力の需要と供給のバランスが崩れやすい時間帯がある。このため、本実施形態では、電源分岐部３２上に常時動作が可能なリアルタイムクロック３２ｅを搭載し、制御部３２ａによりその時間を検知する。停電しやすい時間帯のみ、予め設定した機能ユニットのみバッテリ駆動により動作可能する。
一日の中の時間帯だけではなく、地域によっては季節にも寄るため、季節や月毎の設定（バッテリ駆動を実施するか否か）もすることを可能としている。
この結果、ユーザによって設定された特定の機能ユニットのみバッテリ３９により動作し、バッテリ３９により動作する期間は、リアルタイムクロック３２ｅによって停電し易い時間帯を設定することが可能となる。
このように、制御部３２ａは、停電が頻発する時間帯又は季節を示す期間情報を設定可能になるように操作パネル３４を制御し、該期間情報が示す期間において予め設定した機能ユニットにバッテリ３９からの電力を供給するように制御する。これにより、時間帯又は季節に応じて特定の機能ユニットが安定した動作が可能になる。
【００３３】
＜変形例１＞
第１〜第５実施形態では、ステップＳ７０、Ｓ７５において、操作パネル３４から設定した設定情報を不揮発性メモリ３２ｂに格納しておくようにしたが、本発明はこれに限定されるものではない。すなわち、制御部３２ａは、設定可能な特定の複数の機能ユニットのグループを操作パネル３４に複数表示し、操作パネル３４を介して選択されたグループで示す複数の機能ユニットの設定情報を不揮発性メモリに格納するように制御することで、停電時に、不揮発性メモリ３２ｂから読み出した設定情報が示す機能ユニットのグループのみにバッテリ３９からの電力を供給するように制御することができ、ユーザによる使用時の利便性を向上することができる。
【００３４】
＜変形例２＞
第１〜第５実施形態では、ステップＳ７０、Ｓ７５において、操作パネル３４から設定した設定情報を不揮発性メモリ３２ｂに格納しておくようにしたが、本発明はこれに限定されるものではない。すなわち、制御部３２ａは、実施中のジョブについての完遂の有無を示す情報、緊急性の高いジョブについての処理情報、停電し易い時間帯での機能ユニットの設定情報に対して、操作パネル３４を介して優先順位を設定可能になるように操作パネル３４を制御し、設定情報を不揮発性メモリ３２ｂに格納するように制御するように構成することができる。これにより、実施中のジョブについての完遂の有無情報、緊急性の高いジョブについての処理情報、停電し易い時間帯での機能ユニットの設定情報に対して、優先順位を設定することができ、ユーザによる使用時の利便性を向上することができる。
以上のように、上述した実施形態によれば、バッテリを搭載し、ユーザが設定した動作に関連する機能ユニットのみをバッテリからの電力で駆動するので、停電が多発する国や地域であっても、ジョブ中の緊急性の高い文書を印刷することができる。この結果、プリンタの復旧を待つ必要が無く、高効率となる。バッテリ駆動中には、ユーザが限定した動作のみ可能であるため、停電中の消費電力が小さい（必要なバッテリ容量が小さい）ことから、停電時もユーザが所望の動作が可能なマルチファンクションプリントシステム制御を行うことができる。
【００３５】
＜変形例３＞
第１〜第５実施形態では、ユーザが複数いたとしても同一の環境下で同様の設定を行うような使用態様であったが、本発明はこれに限定されるものではない。すなわち、ユーザが複数いる場合に個々のユーザに固有の識別情報（ＩＤ、ＰＣ名、ユーザ氏名）を上述した設定情報に付加しておけばよい。この場合、パーソナルコンピュータＰＣからプリンタに送信される印刷ジョブに上述した識別情報を付加することで、ユーザが代わった場合にもそのユーザが所望する機能ユニットを停電時に利用することができる。
【符号の説明】
【００３６】
１…複合印刷機、３１…バッテリ搭載マルチファンクションプリンタ、３２…電源分岐部、３２ａ…制御部、３２ｂ…不揮発性メモリ、３３ｂ…ＡＣ電源検知部、３４…操作パネル、３５…スキャナユニット、３６…ＦＡＸユニット、３８…ＡＣ電源、３９…バッテリ、３２ｃ３…スキャナ電源、３２ｄ３…ＦＡＸ電源、３２…電源分岐部、４２…スイッチＳＷ制御信号
【先行技術文献】
【特許文献】
【００３７】
【特許文献１】特開平０５−３０２４０号公報
【図１】
2014176193.tif 000003
【図２】
2014176193.tif 000004
【図３】
2014176193.tif 000005
【図４】
2014176193.tif 000006
【図５】
2014176193.tif 000007
【図６】
2014176193.tif 000008
【図７】
2014176193.tif 000009
【図８】
2014176193.tif 000010
【図９】
2014176193.tif 000011
【図１０】
2014176193.tif 000012
【図１１】
2014176193.tif 000013
【図１２】
2014176193.tif 000014
【図１３】
2014176193.tif 000015
【図１４】
2014176193.tif 000016